(57)【要約】【課題】動力計システムでは、速度指令と速度検出にのみ着目したＰＩＤ制御となり、機械系の共振特性は考慮されてないため、より高応答で安定した速度制御が出来ない。【解決手段】ＡＴＲ一般化プラントモデルをＨ∞制御、μ設計法と呼称されるコントローラ設計手法で構成し、この軸トルク制御コントローラを速度制御のマイナーループに構成する。軸トルク制御コントローラには、速度制御コントローラの出力である軸トルク制御指令、軸トルク検出、動力計角速度及びローラ角速度検出から任意の複数を入力して機械系の共振特性や軸トルク特性などを考慮したトルク電流指令を出力することで、高応答で安定した速度制御を可能とした。【選択図】  図１
2010014409.tif 000002
【特許請求の範囲】
【請求項１】
ローラをシャフトにて連結した動力計を設け、動力計とローラの回転数、及び軸トルクの各検出信号を速度制御回路に入力してトルク電流指令を生成し、このトルク電流指令に基づきインバータを介して動力計を制御する動力計システムの速度制御装置において、
前記速度制御回路に角速度指令と角速度検出を入力して軸トルク制御指令を出力する速度制御コントローラと、一般化プラントモデルに基づき、Ｈ∞制御、μ設計法と呼称されるコントローラ設計手法により算出した軸トルク制御回路で構成され、少なくとも前記動力計トルク指令と軸トルク検出を入力してトルク電流指令を生成する軸トルク制御コントローラを設け、この軸トルク制御コントローラを速度制御のマイナーループで用いることを特徴とした動力計システムの速度制御装置。
【請求項２】
前記軸トルク制御コントローラに入力される信号は、前記軸トルク制御指令と軸トルク検出との差による軸トルク制御偏差であることを特徴とした請求項1記載の動力計システムの速度制御装置。
【請求項３】
前記軸トルク制御コントローラに入力される信号は、前記軸トルク制御指令と軸トルク検出との差による軸トルク制御偏差と、動力計角速度検出であることを特徴とした請求項２記載の動力計システムの速度制御装置。
【請求項４】
前記軸トルク制御コントローラに入力される信号は、前記軸トルク制御指令と軸トルク検出との差による軸トルク制御偏差と、ローラ角速度検出であることを特徴とした請求項２記載の動力計システムの速度制御装置。
【請求項５】
前記軸トルク制御コントローラに入力される信号は、前記軸トルク制御指令と軸トルク検出との差による軸トルク制御偏差、動力計角速度検出、及びローラ角速度検出であることを特徴とした請求項２記載の動力計システムの速度制御装置。
【請求項６】
前記軸トルク制御コントローラに入力される信号は、前記軸トルク制御指令、軸トルク検出、動力計角速度検出、及びローラ角速度検出のうちから任意に選択された複数であることを特徴とした請求項１記載の動力計システムの速度制御装置。
【発明の詳細な説明】
【技術分野】
【０００１】
本発明は、シャシーダイナモメータの速度制御装置に係り、特に一般化プラントモデルに基づき、Ｈ∞制御、μ設計法と呼称されるコントローラ設計手法により作成した軸トルク制御部と速度制御コントローラを組み合わせたシャシーダイナモメータの速度制御装置に関するものである。
【背景技術】
【０００２】
図１１は特許文献１などによって公知となっているシャシーダイナモメータシステムの構成図を示したもので、Ｄｙは動力計、Ｒは動力計Ｄｙに連結されたローラ、ＩＶはインバータ、ＳＣは速度制御回路、ＴＭは軸トルクメータ、ＥＣ１は動力計の回転数を検出するためのエンコーダ、ＥＣ２はローラ回転数を検出するためのエンコーダで、これら軸トルクメータＴＭ、エンコーダＥＣ１，ＥＣ２によって検出された各検出信号は速度制御回路ＲＰに入力されてトルク電流指令が演算される。
図１２は速度制御回路の構成図を示したもので、シャシーダイナモメータシステムやドライブトレインベンチシステムの動力計システムで速度制御する場合、ＰＩＤ制御による速度制御方式が採用されている。この速度制御方式では、角速度指令値ｗ.refと角速度検出値ｗ.detとの関係にのみ着目して制御ゲインを調整している。
【特許文献１】特開２００４−３６１２５５
【発明の開示】
【発明が解決しようとする課題】
【０００３】
シャシーダイナモメータシステムでは、動力計の機械系モデルは共振特性を持つ２慣性系となっている。また、特許文献１で示すように計測システムの負荷側、または駆動側で動力計測対象の機械慣性成分を電気的に補償する電気慣性制御方式が採られており、電気慣性制御はＰＩＤ制御方式となっている。同様に、動力計もしくはローラの速度制御を行う場合もＰＩＤ制御となっている。このＰＩＤ制御方式は、前述のように角速度指令値ｗ.refと角速度検出値ｗ.detとの関係にのみ着目して制御ゲインを調整し、機械系の共振特性が考慮されていないため、速度制御応答を高めようとしたときに、機械系の共振特性に起因するハンチングや発散等の不安定現象が発生する。
【０００４】
また、シャシーダイナモメータシステムでは、機械系の共振特性以外に速度検出遅れやインバータのトルク応答遅れなども存在し、これら速度検出遅れやインバータのトルク制御応答遅れ要素なども考慮しないと、より高応答で安定した制御ができない。
【０００５】
そこで、本発明が目的とするとこは、高応答で安定な速度制御装置を提供することにある。
【課題を解決するための手段】
【０００６】
本発明の請求項１は、ローラをシャフトにて連結した動力計を設け、動力計とローラの回転数、及び軸トルクの各検出信号を速度制御回路に入力してトルク電流指令を生成し、このトルク電流指令に基づきインバータを介して動力計を制御する動力計システムの速度制御装置において、
前記速度制御回路に角速度指令と角速度検出を入力して軸トルク制御指令を出力する速度制御コントローラと、一般化プラントモデルに基づき、Ｈ∞制御、μ設計法と呼称されるコントローラ設計手法により算出した軸トルク制御回路で構成され、少なくとも前記動力計トルク指令と軸トルク検出を入力してトルク電流指令を生成する軸トルク制御コントローラを設け、この軸トルク制御コントローラを速度制御のマイナーループで用いることを特徴としたものである。
【０００７】
本発明の請求項２は、前記軸トルク制御コントローラに入力される信号は、前記軸トルク制御指令と軸トルク検出との差による軸トルク制御偏差であることを特徴としたものである。
【０００８】
本発明の請求項３は、前記軸トルク制御コントローラに入力される信号は、前記軸トルク制御指令と軸トルク検出との差による軸トルク制御偏差と、動力計角速度検出であることを特徴としたものである。
【０００９】
本発明の請求項４は、前記軸トルク制御コントローラに入力される信号は、前記軸トルク制御指令と軸トルク検出との差による軸トルク制御偏差と、ローラ角速度検出であることを特徴としたものである。
【００１０】
本発明の請求項５は、前記軸トルク制御コントローラに入力される信号は、前記軸トルク制御指令と軸トルク検出との差による軸トルク制御偏差、動力計角速度検出、及びローラ角速度検出であることを特徴としたものである。
【００１１】
本発明の請求項６は、前記軸トルク制御コントローラに入力される信号は、前記軸トルク制御指令、軸トルク検出、動力計角速度検出、及びローラ角速度検出のうちから任意に選択された複数であることを特徴としたものである。
【発明の効果】
【００１２】
以上のとおり本発明は、機械系の共振特性、軸トルク検出特性、動力計角速度検出特性、ローラ角速度検出特性、及びインバータ応答特性から任意の特性が考慮された軸トルク制御コントローラを速度制御のマイナーループ構成したものである。これにより、任意の各特性の考慮されたトルク電流指令を得ることが可能となり、共振特性が抑制されて高応答で安定なシャシーダイナモメータシステムの速度制御が可能となるものである。
【発明を実施するための最良の形態】
【００１３】
図１は本発明の第１の実施例を示す構成図である。ＡＳＲは速度制御コントローラで、この速度制御コントローラＡＳＲは従来と同様に角速度指令値ｗ.refと角速度検出値ｗ.detを入力し、両者の関係にのみ着目してＰＩＤ演算を施した制御ゲイン調整をし、軸トルク制御指令Dy.Trefを出力する。ＡＴＲは軸トルク制御コントローラで、軸トルク制御コントローラＡＴＲにはエンコーダＥＣ２によって検出されたローラ角速度検出、エンコーダＥＣ１によって検出された動力計角速度検出、及び前記軸トルク制御指令Dy.TrefとトルクメータＴＭにより検出された軸トルク検出との差信号である軸トルク制御偏差SHT.eが入力される。
軸トルク制御コントローラＡＴＲは、「Ｈ∞制御」「μ設計法」と呼称されるコントローラ設計手法により作成し、状態方程式のパラメータを算出して軸トルク制御部を構成するものである。なお、「Ｈ∞制御」「μ設計法」「一般化プラント」については、例えば、劉康志著、「線形ロバスト制御」、コロナ社、２００２年などにおいて、ロバスト制御の一般的な教科書で説明されている。
【００１４】
図２は、軸トルク制御コントローラＡＴＲの一般化プラントの例で、また、図３はＡＴＲ一般化プラントに用いられる機械系モデルを示したもので、それぞれは一般化プラントに基づき「Ｈ∞制御」または、「μ設計法」にて状態方程式のパラメータを算出するものである。
図２で示すＡＴＲ一般化プラントモデルは、その外乱としてローラ表面駆動力ｗ１、インバータトルク制御誤差ｗ２、軸トルク指令ｗ３、ローラ角速度観測ノイズｗ４、軸トルク観測ノイズｗ５、及び動力計角速度観測ノイズｗ６が入力され、制御量としてｚ１〜ｚ５が出力される。３０は軸トルク制御部で、観測量c-in1、c-in2、及びc-in3が入力される。軸トルク制御部３０では軸トルク制御のための状態方程式のパラメータを設定し、ゲインが小さくなるようアルゴリズムに基づいてパラメータを決定するための所定の演算を実行し、動力計のトルク指令c-outを生成する。ここで、c-in1はローラ角速度検出、 c-in2は軸トルク制御偏差、c-in3は動力計角速度検出である。また、一般化プラントモデルでは、制御量としてｚ１〜ｚ５が生成される。
【００１５】
入力された外乱には、それぞれは重み係数付加手段１（Gw1(s)）〜６（Gw6(s)）、及び２０（Gz1(s)）〜２４（Gz5(s)）において各別に重み付けされ、求める特性が得られるようになっている。すなわち、手段１は車両駆動力に重み付けされ、ある定数、または、高域でゲインが高くなるような特性となってローラの回転モーメントトルクJ1.Tとし機械系モデル４０（Gmec(s)）に入力される。手段２では、インバータのトルク電流制御誤差に重み付けし、ある定数、または、高域でゲインが高くなるような特性にする。手段３では、軸トルク指令に重み付けし、ある定数、または、高域でゲインが高くなるような特性にされて減算部１２に出力する。手段４では、ローラ角速度観測ノイズに重み付けし、ある定数、または、高域でゲインが高くなるような特性にする。手段５では、軸トルク観測ノイズに重み付けてある定数とし、加算部１１に出力する。手段６では、動力計角速度観測ノイズに重み付けし、ある定数、または、高域でゲインが高くなるような特性にして加算部１５に出力する。
【００１６】
７はインバータ特性モデル部で、軸トルク制御部３０の出力c-outに基づいてインバータの応答特性信号を生成し、手段２において重み付けされた信号と加算部１３で加算され、動力計トルクJ2.Tとして機械系モデル４０に入力される。
８は第１のエンコーダ特性モデルで、機械系モデル４０で算出されたローラ角速度と、手段４で重み付けられたローラ角速度観測ノイズとの和（加算部１４で）が入力されてローラ角速度を検出する。この信号はローラ角速度検出c-in1の観測量としてＡＴＲコントローラ３０に入力される。また、加算部１４でのローラ角速度検出信号は手段２４に出力されて重み付けされ、ある定数、または、高域でゲインが高くなるような特性にされて、重み付きローラ角速度信号ｚ５にされる。
【００１７】
９は軸トルクを検出するトルクメータ特性モデルで、機械系モデル４０からの軸トルクK12.Tと、手段５で重み付けされた軸トルク観測ノイズとの和信号（加算部１１での）に基づいてトルクメータ特性信号を生成して減算部１２に出力する。減算部１２では手段３で重み付けされた軸トルク指令との差演算が実行され、その差信号が軸トルク制御偏差c-in2としてＡＴＲコントローラ３０に出力すると共に、手段１６にも出力される。手段１６では入力された軸トルク制御偏差に積分特性を持つ重み関数を付加し、ある定数、または、高域でゲインが低くなるような特性にされて、重み付き軸トルク制御偏差信号ｚ３となる。
また、加算部１１で求められた軸トルク観測誤差信号は、手段２１に入力されて重み付けされ、ある定数、または、高域でゲインが高くなるような特性にされて、重み付き軸トルク信号ｚ２となる。
１０は動力計角速度を検出する第２のエンコーダ特性モデルで、機械系モデル４０からの動力計角速度Ｊ2.wと、手段６で重み付けされた動力計角速度観測誤差との和信号（加算部１５にて）に基づいてエンコーダ特性信号を生成し、この信号は動力計角速度c-in3の観測量として軸トルク制御部３０に入力される。また、加算部１５での和信号は手段２３で重み付けされ、ある定数、または、高域でゲインが高くなるような特性にされて、重み付き動力計角速度信号ｚ４となる。
【００１８】
軸トルク制御部３０では、入力された観測量c-in1， c-in2，及びc-in3に基づき軸トルク制御のための状態方程式のパラメータを設定し、ゲインが小さくなるようアルゴリズムに基づいてパラメータを決定するための所定の演算を実行し、演算された動力計トルク指令c-outを生成してインバータ特性モデル部７に出力すると共に、手段２０に出力する。手段２０ではインバータのトルク電流指令に重み付けをし、ある定数、または、高域でゲインが高くなるような特性にして重み付トルク電流指令信号ｚ１として出力する。
【００１９】
図３で示すＡＴＲの機械系モデル４０は、動力計の機械特性を伝達関数で表現したもので、２慣性機械系のモデルである。この例での機械系モデルは、J1.TとJ2.Tを入力として持ち、J1.w、K12.T、及びJ2.wを出力として持つ。
同図において、４１はローラ慣性モーメント要素で、その出力はローラ角速度J1.wとして一般化プラントへ出力すると共に、減算手段４６に出力する。４２はばね剛性要素で、減算手段４６により演算された動力計角速度とローラ角速度の差信号が入力されてシャフト捩れトルクK12.T信号として一般化プラントへ出力すると共に、加算手段４４と減算手段４５に出力する。加算手段４４では、ローラ表面にかかる車両駆動力によるローラの回転モーメントJ1.Tとシャフト捩れトルクK12.Tが加算されてローラ慣性モーメント要素４１に入力する。また、減算手段４５では、入力された動力計トルク信号J2.Tとシャフト捩れトルクK12.Tの差信号が求められて動力計慣性モーメント要素４３に出力され、この動力計慣性モーメント要素４３において動力計角速度J2.wを演算して一般化プラントへ出力すると共に、減算手段４６に出力する。
【００２０】
この実施例によれば、機械系の共振特性、軸トルク検出特性、動力計角速度検出特性、ローラ角速度検出特性、及びインバータ応答特性を考慮された軸トルク制御コントローラＡＴＲを速度制御のマイナーループに構成したものである。これにより、各特性の考慮されたトルク電流指令を得ることが可能となり、共振特性が抑制されて高応答で安定なシャシーダイナモメータシステムの速度制御が可能となる。
【００２１】
図４は、本発明の第２の実施例を示す構成図で、図１と異なる点は、軸トルク制御コントローラＡＴＲに入力される信号を、軸トルク制御指令Dy.TrefとトルクメータＴＭからの軸トルク検出との差による軸トルク制御偏差SHT.eと、動力計角速度検出としたことである。この場合、軸トルク制御コントローラＡＴＲにおける状態方程式のパラメータが異なってくるが、軸トルク制御を速度制御のマイナーループ構成としたことにより、共振特性が抑制されて高応答で安定なシャシーダイナモメータシステムの速度制御が可能となる。
【００２２】
図５は、本発明の第３の実施例を示す構成図で、図１と異なる点は、軸トルク制御コントローラＡＴＲに入力される信号を、軸トルク制御指令Dy.TrefとトルクメータＴＭからの軸トルク検出との差による軸トルク制御偏差SHT.eと、ローラ角速度検出としたことである。この場合も、軸トルク制御コントローラＡＴＲにおける状態方程式のパラメータが異なってくるが、軸トルク制御を速度制御のマイナーループ構成としたことにより、共振特性が抑制されて高応答で安定なシャシーダイナモメータシステムの速度制御が可能となる。
【００２３】
図６は、本発明の第４の実施例を示す構成図で、図１と異なる点は、軸トルク制御コントローラＡＴＲに入力される信号を、動力計トルク指令Dy.TrefとトルクメータＴＭからの軸トルク検出との差による軸トルク制御偏差SHT.eのみとしたことである。この場合も、軸トルク制御コントローラＡＴＲにおける状態方程式のパラメータが異なってくるが、軸トルク制御を速度制御のマイナーループ構成としたことにより、共振特性が抑制されて高応答で安定なシャシーダイナモメータシステムの速度制御が可能となる。
【００２４】
図７は、本発明の第５の実施例を示す構成図で、図１と異なる点は、軸トルク制御コントローラＡＴＲに入力される信号を、ローラ角速度検出、軸トルク制御指令、動力計角速度検出、及び軸トルク検出としたことである。
この場合も、軸トルク制御コントローラＡＴＲにおける状態方程式のパラメータは異なってくるが、軸トルク制御を速度制御のマイナーループ構成としたことにより、共振特性が抑制されて高応答で安定なシャシーダイナモメータシステムの速度制御が可能となる。
【００２５】
図８は、本発明の第６の実施例を示す構成図で、図１と異なる点は、軸トルク制御コントローラＡＴＲに入力される信号を、軸トルク制御指令、動力計角速度検出、及び軸トルク検出としたことである。
この場合も、軸トルク制御コントローラＡＴＲにおける状態方程式のパラメータは異なってくるが、軸トルク制御を速度制御のマイナーループ構成としたことにより、共振特性が抑制されて高応答で安定なシャシーダイナモメータシステムの速度制御が可能となる。
【００２６】
図９は、本発明の第７の実施例を示す構成図で、図１と異なる点は、軸トルク制御コントローラＡＴＲに入力される信号を、軸トルク制御指令、ローラ角速度検出、及び軸トルク検出としたことである。
この場合も、軸トルク制御コントローラＡＴＲにおける状態方程式のパラメータは異なってくるが、軸トルク制御を速度制御のマイナーループ構成としたことにより、共振特性が抑制されて高応答で安定なシャシーダイナモメータシステムの速度制御が可能となる。
【００２７】
図１０は、本発明の第８の実施例を示す構成図で、図１と異なる点は、軸トルク制御コントローラＡＴＲに入力される信号を、軸トルク制御指令、及び軸トルク検出としたことである。
この場合も、軸トルク制御コントローラＡＴＲにおける状態方程式のパラメータは異なってくるが、軸トルク制御を速度制御のマイナーループ構成としたことにより、共振特性が抑制されて高応答で安定なシャシーダイナモメータシステムの速度制御が可能となる。
【図面の簡単な説明】
【００２８】
【図１】本発明の実施形態を示す速度制御装置の構成図。
【図２】本発明に用いられる軸トルク制御コントローラの一般化プラント構成図。
【図３】機械系モデルの構成図。
【図４】本発明の他の実施例を示す速度制御装置の構成図。
【図５】本発明の他の実施例を示す速度制御装置の構成図。
【図６】本発明の他の実施例を示す速度制御装置の構成図。
【図７】本発明の他の実施例を示す速度制御装置の構成図。
【図８】本発明の他の実施例を示す速度制御装置の構成図。
【図９】本発明の他の実施例を示す速度制御装置の構成図。
【図１０】本発明の他の実施例を示す速度制御装置の構成図。
【図１１】シャシーダイナモメータシステムの構成図。
【図１２】従来の速度制御装置の構成図。
【符号の説明】
【００２９】
Ｄｙ…動力計
ＩＶ…インバータ
ＲＰ…速度制御回路
Ｒ…ローラ
ＥＣ（ＥＣ１，ＥＣ２）…エンコーダ
ＴＭ…トルクメータ
ＡＳＲ…速度制御コントローラ
ＡＴＲ…軸トルク制御コントローラ
７…  インバータ特性モデル部
８…  軸トルク特性モデル部
９…  第１のエンコーダ特性モデル部
１０…  第２のエンコーダ特性モデル部
３０…軸トルク制御部
４０…機械系モデル
【図１】
2010014409.tif 000003
【図２】
2010014409.tif 000004
【図３】
2010014409.tif 000005
【図４】
2010014409.tif 000006
【図５】
2010014409.tif 000007
【図６】
2010014409.tif 000008
【図７】
2010014409.tif 000009
【図８】
2010014409.tif 000010
【図９】
2010014409.tif 000011
【図１０】
2010014409.tif 000012
【図１１】
2010014409.tif 000013
【図１２】
2010014409.tif 000014